(57)【特許請求の範囲】
【請求項１】
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、前記オーガドラムの内周面側に取り付けられ、前記掻き込み体を前記オーガドラムから出退自在に摺動案内する摺動案内体と、を備えており、
前記摺動案内体には、前記オーガドラムの周方向で前記挿通孔の両側に位置する部分に、前記オーガドラムに形成された開口よりも前記掻き込み体側に向けて突出する突出部が形成されるとともに、前記突出部の外周部に、径方向外方側に向けて突出し、前記オーガドラムの外周面から径方向外方側に突出しない状態で、前記オーガドラムに形成された開口に嵌り込む凸部が形成されている収穫機。
【請求項２】
前記摺動案内体は、前記摺動案内体の径方向外方側箇所が前記オーガドラムの内周面に接当する状態で固定具ユニットにて固定されて取り付けられている請求項１に記載の収穫機。
【請求項３】
前記突出部は、前記摺動案内体のうち、前記オーガドラムの内周面と接当する箇所に設けられている請求項２に記載の収穫機。
【請求項４】
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、径方向外方側箇所が前記オーガドラムの内周面に接当する状態で、前記オーガドラムの内周面側に固定具ユニットにて固定されて取り付けられ、前記掻き込み体を前記オーガドラムから出退自在に摺動案内する摺動案内体と、を備え、
前記固定具ユニットは、前記オーガドラムに径方向内方側から取り付けられ、前記摺動案内体を前記オーガドラムの内周面とで挟み込む内側固定部を備え、
前記内側固定部に、前記挿通孔の内周面を径方向内方側に延長する延長ガイド部が備えられている収穫機。
【請求項５】
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、径方向外方側箇所が前記オーガドラムの内周面に接当する状態で、前記オーガドラムの内周面側に、前記オーガドラムの周方向で前記挿通孔の両側に位置する箇所の夫々において、固定具ユニットにて固定されて取り付けられ、前記掻き込み体を前記オーガドラムから出退自在に摺動案内する摺動案内体と、を備え、
前記固定具ユニットは、前記オーガドラムの周方向で前記挿通孔の両側に位置する一対の締結具と、前記一対の締結具同士を連結する連結部材とを備え、
前記摺動案内体の内周面に、前記一対の締結具及び前記連結部材が嵌り込む嵌合部が形成されている収穫機。
【請求項６】
前記摺動案内体のうち、前記オーガドラムの周方向で前記挿通孔の両側に位置する部分に、前記掻き込み体側に向けて突出する突出部が形成され、
前記突出部は、前記摺動案内体のうち、前記オーガドラムの内周面と接当する箇所に設けられている請求項４又は５に記載の収穫機。
【請求項７】
前記摺動案内体に、径方向外方側に向けて突出するとともに、前記オーガドラムに形成された開口に嵌り込む凸部が形成されている請求項４から６の何れか一項に記載の収穫機。
【請求項８】
前記摺動案内体における前記凸部の内部を径方向に沿って挿通する状態で、前記掻き込み体が挿通する挿通孔が形成されている請求項１、２、３、７の何れか一項に記載の収穫機。
【請求項９】
前記固定具ユニットに、ボルト頭部が前記オーガドラムの外周側に位置する状態で前記オーガドラムを径方向に挿通されるボルトと、前記オーガドラムの内周側に位置し、前記ボルトが締結されるナットと、が備えられ、
前記ボルト頭部と前記オーガドラムの外周面との間において、前記ボルトの軸部に、前記オーガドラムの外周面に接当する平座金と、前記平座金と前記ボルト頭部との間に位置するバネ座金とが装着されている請求項２、４、５の何れか一項に記載の収穫機。
【発明の詳細な説明】
【技術分野】
【０００１】
本発明は、刈取作物を横送りオーガにより機体横幅方向に寄せ集めてフィーダにより後方側に搬送するようにした収穫機に関する。
【背景技術】
【０００２】
収穫機の一例である普通型コンバインでは、従来より、横送りオーガは、円筒状のオーガドラムの外周部に穀稈移送用の螺旋羽根を備え、オーガドラムの回転に伴ってオーガドラムから掻き込み体が出退しながら一体回転して、刈取穀稈をフィーダに送り出すように構成されている。この掻き込み体は、オーガドラムに備えられた摺動案内体を挿通させた状態で出退自在に支持されており、摺動案内体は、オーガドラムに対して外周側から取り付けられる構成となっていた（例えば、特許文献１参照。）。
【先行技術文献】
【特許文献】
【０００３】
【特許文献１】特開２００７−２１５４５３号公報
【発明の概要】
【発明が解決しようとする課題】
【０００４】
上記従来構成では、摺動案内体は、オーガドラムに外周側から取り付けられる構成であるから、オーガドラムの外周面よりも径方向外方に突出する状態となっていた。その結果、刈取作業が行われ、刈取穀稈が、掻き込み体によってフィーダに送り出されるとき、掻き込み体が径方向内方側に引退したのちにおいても、径方向外方に突出している摺動案内体に引っ掛かり滞留することがある。そして、このような刈取穀稈が摺動案内体の付近に堆積して、横送りオーガにおける穀稈詰まりの原因になるおそれがあった。
【０００５】
そこで、刈取穀稈が引っ掛かり堆積するおそれが少なく良好な刈取作業を行えるようにすることが望まれていた。
【課題を解決するための手段】
【０００６】
本発明に係る収穫機の特徴構成は、
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、前記オーガドラムの内周面側に取り付けられ、前記掻き込み体を前記オーガドラムから出退自在に摺動案内する摺動案内体と、を備えており、
前記摺動案内体には、前記オーガドラムの周方向で前記挿通孔の両側に位置する部分に、前記オーガドラムに形成された開口よりも前記掻き込み体側に向けて突出する突出部が形成されるとともに、前記突出部の外周部に、径方向外方側に向けて突出し、前記オーガドラムの外周面から径方向外方側に突出しない状態で、前記オーガドラムに形成された開口に嵌り込む凸部が形成されている点にある。
【０００７】
本発明によれば、摺動案内体がオーガドラムの内周面側に取り付けられるので、摺動案内体がオーガドラムの外周面から径方向外方に突出しない状態で、摺動案内体により掻き込み体をオーガドラムから出退自在に摺動案内することが可能となる。
【０００８】
その結果、オーガドラムが回転しながら横送りされた刈取穀稈を、掻き込み体によってフィーダに送り出す際に、一部の刈取穀稈がオーガドラム側に残ることがあっても、その残された刈取穀稈は、掻き込み体が径方向内方側に引退するとともに、その付近におけるオーガドラムの外周面には外方に大きく突出するものが存在しないことから、堆積することなくオーガドラムの外周部から離間することになる。
【０００９】
従って、オーガドラムの外周部に刈取穀稈が引っ掛かり堆積することが原因で横送りオーガにおける穀稈詰まりが発生するおそれが少なくなり、良好な刈取作業を行うことが可能となった。
【００１０】
また、本発明によれば、掻き込み体は、オーガドラムの回転に伴ってオーガドラムから出退する際に、挿通孔を挿通する状態で出退自在に摺動案内体に支持される。そのとき、掻き込み体は、挿通孔の両側に位置する部分に形成された突出部にて受止められた状態で摺動案内される。
【００１１】
更に、本発明によれば、摺動案内体に形成された凸部がオーガドラムに形成された開口に嵌り込むことにより、摺動案内体は、オーガドラムの周面に沿う位置が定められる。このように凸部が開口に嵌り込むことで、摺動案内体がオーガドラムの周面に沿って移動することを規制することができる。従って、摺動案内体が、オーガドラムの周面に沿う方向での位置ズレが少ない安定した状態で支持される。
【００１２】
本発明においては、前記摺動案内体は、前記摺動案内体の径方向外方側箇所が前記オーガドラムの内周面に接当する状態で固定具ユニットにて固定されて取り付けられていると好適である。
【００１３】
本構成によれば、摺動案内体の径方向外方側箇所がオーガドラムの内周面に接当しているので、固定具ユニットにより摺動案内体を固定するときに、オーガドラムに当て付けた状態でしっかりと固定することができる。
【００１４】
従って、摺動案内体がオーガドラムの内周面側に位置するものでありながら、摺動案内体をオーガドラムに対して固定具ユニットにより確実に固定することができる。
【００１５】
本発明においては、前記突出部は、前記摺動案内体のうち、前記オーガドラムの内周面と接当する箇所に設けられていると好適である。
【００１６】
本構成によれば、摺動案内体のうちオーガドラムの内周面と接当する箇所に、掻き込み体側に向けて突出する突出部が設けられているから、出退移動に伴って掻き込み体から摺動案内体に対して周方向に沿う押圧力を受けることがあっても、その力がオーガドラムの内周面にて受止められて、摺動案内体に無理な力がかかることを回避できる。その結果、摺動案内体が破損する等のおそれが少なく、耐久性の向上を図ることができる。
【００１７】
本発明に係る別の収穫機の特徴構成は、
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、径方向外方側箇所が前記オーガドラムの内周面に接当する状態で、前記オーガドラムの内周面側に固定具ユニットにて固定されて取り付けられ、前記掻き込み体を前記オーガドラムから出退自在に摺動案内する摺動案内体と、を備え、
前記固定具ユニットは、前記オーガドラムに径方向内方側から取り付けられ、前記摺動案内体を前記オーガドラムの内周面とで挟み込む内側固定部を備え、
前記内側固定部に、前記挿通孔の内周面を径方向内方側に延長する延長ガイド部が備えられている点にある。
【００１８】
本発明によれば、摺動案内体がオーガドラムの内周面側に取り付けられるので、摺動案内体がオーガドラムの外周面から径方向外方に突出しない状態で、摺動案内体により掻き込み体をオーガドラムから出退自在に摺動案内することが可能となる。
【００１９】
その結果、オーガドラムが回転しながら横送りされた刈取穀稈を、掻き込み体によってフィーダに送り出す際に、一部の刈取穀稈がオーガドラム側に残ることがあっても、その残された刈取穀稈は、掻き込み体が径方向内方側に引退するとともに、その付近におけるオーガドラムの外周面には外方に大きく突出するものが存在しないことから、堆積することなくオーガドラムの外周部から離間することになる。
【００２０】
従って、オーガドラムの外周部に刈取穀稈が引っ掛かり堆積することが原因で横送りオーガにおける穀稈詰まりが発生するおそれが少なくなり、良好な刈取作業を行うことが可能となった。
【００２１】
また、本発明によれば、摺動案内体の径方向外方側箇所がオーガドラムの内周面に接当しているので、固定具ユニットにより摺動案内体を固定するときに、オーガドラムに当て付けた状態でしっかりと固定することができる。
【００２２】
従って、摺動案内体がオーガドラムの内周面側に位置するものでありながら、摺動案内体をオーガドラムに対して固定具ユニットにより確実に固定することができる。
【００２３】
更に、本発明によれば、摺動案内体は、径方向外方側箇所がオーガドラムの内周面に接当する状態で、固定具ユニットにおける内側固定部と、オーガドラムの内周面とで、摺動案内体を挟み込んだ状態でしっかりと固定される。
【００２４】
そして、内側固定部に備えられた延長ガイド部によって、掻き込み体が挿通する挿通孔の内周面を径方向内方側に延長する。掻き込み体が径方向内方側へ引退したときに、横送りオーガ全体の組付け誤差等に起因して、掻き込み体の先端部が摺動案内体の挿通孔よりも径方向内方側へ位置ずれすることがあっても、延長ガイド部によって受止め支持することで、掻き込み体が抜け外れすることを回避できる。
【００２５】
本発明に係る別の収穫機の特徴構成は、
刈取穀稈を機体横幅方向に移送する横送りオーガと、その横送りオーガにより移送されたのち後方に送り出された刈取穀稈を機体後方側に搬送するフィーダとが備えられ、
前記横送りオーガは、
外周部に穀稈移送用の螺旋羽根が設けられ、横軸芯周りで回転する円筒状のオーガドラムと、
前記オーガドラムの回転に伴って前記オーガドラムから出退しながら一体回転して刈取穀稈を前記フィーダに送り出す掻き込み体と、
前記掻き込み体が挿通する挿通孔が形成されるとともに、径方向外方側箇所が前記オーガドラムの内周面に接当する状態で、前記オーガドラムの内周面側に、前記オーガドラムの周方向で前記挿通孔の両側に位置する箇所の夫々において、固定具ユニットにて固定されて取り付けられ、前記掻き込み体を前記オーガドラムから出退自在に摺動案内する摺動案内体と、を備え、
前記固定具ユニットは、前記オーガドラムの周方向で前記挿通孔の両側に位置する一対の締結具と、前記一対の締結具同士を連結する連結部材とを備え、
前記摺動案内体の内周面に、前記一対の締結具及び前記連結部材が嵌り込む嵌合部が形成されている点にある。
【００２６】
本発明によれば、摺動案内体がオーガドラムの内周面側に取り付けられるので、摺動案内体がオーガドラムの外周面から径方向外方に突出しない状態で、摺動案内体により掻き込み体をオーガドラムから出退自在に摺動案内することが可能となる。
【００２７】
その結果、オーガドラムが回転しながら横送りされた刈取穀稈を、掻き込み体によってフィーダに送り出す際に、一部の刈取穀稈がオーガドラム側に残ることがあっても、その残された刈取穀稈は、掻き込み体が径方向内方側に引退するとともに、その付近におけるオーガドラムの外周面には外方に大きく突出するものが存在しないことから、堆積することなくオーガドラムの外周部から離間することになる。
【００２８】
従って、オーガドラムの外周部に刈取穀稈が引っ掛かり堆積することが原因で横送りオーガにおける穀稈詰まりが発生するおそれが少なくなり、良好な刈取作業を行うことが可能となった。
【００２９】
また、本発明によれば、摺動案内体の径方向外方側箇所がオーガドラムの内周面に接当しているので、固定具ユニットにより摺動案内体を固定するときに、オーガドラムに当て付けた状態でしっかりと固定することができる。
【００３０】
従って、摺動案内体がオーガドラムの内周面側に位置するものでありながら、摺動案内体をオーガドラムに対して固定具ユニットにより確実に固定することができる。
【００３１】
更に、本発明によれば、摺動案内体は、オーガドラムの周方向に沿って挿通孔の両側に位置する箇所の夫々において固定具ユニットにより固定される。つまり、掻き込み体が挿通する挿通孔の両側横側箇所にて夫々固定されるので、掻き込み体が繰り返し摺動しても、挿通孔の両側を固定した状態で安定的に支持される。従って、摺動案内体が長期にわたって良好に案内機能を発揮することができる。
【００３２】
また、本発明によれば、オーガドラムの周方向で挿通孔の両側に位置する箇所の夫々において、各別に設けられた締結具により摺動案内体をオーガドラムに固定する。そして、これら一対の締結具同士を連結部材で連結しているので、組付け時やメンテナンス作業時等において、一対の締結具がバラバラになることがなく、取扱いが容易で作業性が向上する。
【００３３】
更に、本発明によれば、組付け時やメンテナンス作業時等において、摺動案内体をオーガドラムの内周面に取り付ける時に、一対の締結具及び連結部材を摺動案内体の内周面に形成されている嵌合部に嵌め込むことにより容易に位置決めすることができ、組付け作業が行い易いものになる。
【００３４】
上記別の収穫機に係る本発明においては、前記摺動案内体のうち、前記オーガドラムの周方向で前記挿通孔の両側に位置する部分に、前記掻き込み体側に向けて突出する突出部が形成され、
前記突出部は、前記摺動案内体のうち、前記オーガドラムの内周面と接当する箇所に設けられていると好適である。
【００３５】
本構成によれば、掻き込み体は、オーガドラムの回転に伴ってオーガドラムから出退する際に、挿通孔を挿通する状態で出退自在に摺動案内体に支持される。そのとき、掻き込み体は、挿通孔の両側に位置する部分に形成された突出部にて受止められた状態で摺動案内される。
【００３６】
そして、摺動案内体のうちオーガドラムの内周面と接当する箇所に、掻き込み体側に向けて突出する突出部が設けられているから、出退移動に伴って掻き込み体から摺動案内体に対して周方向に沿う押圧力を受けることがあっても、その力がオーガドラムの内周面にて受止められて、摺動案内体に無理な力がかかることを回避できる。その結果、摺動案内体が破損する等のおそれが少なく、耐久性の向上を図ることができる。
【００３７】
また、上記別の収穫機に係る本発明においては、前記摺動案内体に、径方向外方側に向けて突出するとともに、前記オーガドラムに形成された開口に嵌り込む凸部が形成されていると好適である。
【００３８】
本構成によれば、摺動案内体に形成された凸部がオーガドラムに形成された開口に嵌り込むことにより、摺動案内体は、オーガドラムの周面に沿う位置が定められる。このように凸部が開口に嵌り込むことで、摺動案内体がオーガドラムの周面に沿って移動することを規制することができる。従って、摺動案内体が、オーガドラムの周面に沿う方向での位置ズレが少ない安定した状態で支持される。
【００３９】
また、上記別の収穫機に係る本発明においては、前記摺動案内体における前記凸部の内部を径方向に沿って挿通する状態で、前記掻き込み体が挿通する挿通孔が形成されていると好適である。
【００４０】
本構成によれば、摺動案内体における凸部の内部に形成された挿通孔を通して掻き込み体が挿通することになる。このようにオーガドラムに形成された開口に嵌り込む凸部に挿通孔が形成されるので、掻き込み体の摺動に伴って凸部がオーガドラムの周面に沿う方向に力が作用しても、凸部が開口に嵌り合うことにより、摺動案内体の周面に沿う方向での位置ズレを阻止することができる。
【００４１】
本発明においては、前記固定具ユニットに、ボルト頭部が前記オーガドラムの外周側に位置する状態で前記オーガドラムを径方向に挿通されるボルトと、前記オーガドラムの内周側に位置し、前記ボルトが締結されるナットと、が備えられ、
前記ボルト頭部と前記オーガドラムの外周面との間において、前記ボルトの軸部に、前記オーガドラムの外周面に接当する平座金と、前記平座金と前記ボルト頭部との間に位置するバネ座金とが装着されていると好適である。
【００４２】
本構成によれば、オーガドラムの外周側からボルトを径方向内方側へ挿通して、このボルトにオーガドラムの内周側に位置するナットを締結することにより、摺動案内体をオーガドラムの内周面に固定することができる。
【００４３】
オーガドラムの外周側に位置するボルト頭部とオーガドラムの外周面との間に、平座金とバネ座金とが装着される。平座金はオーガドラムの外周面に接当する位置にあり、バネ座金は平座金とボルト頭部との間に位置する。
【００４４】
横送りオーガにおいて穀稈詰まりが発生したような場合に、オーガドラムと掻き込み体との相対的な移動に起因して、ボルトに無理な力がかかることがある。そして、ボルト頭部とオーガドラムの外周面との間に外径が小さめのバネ座金だけが備えられる場合には、ボルトが少し傾斜すると、バネ座金の外周部の角部がオーガドラムの外周面に接触して、オーガドラムに局所的な負荷がかかり、オーガドラムの外周面が破損するおそれがある。
【００４５】
そこで、バネ座金に比べて接触面積が大きい平座金を介装することで、オーガドラムの外周面に対する接触面積を大きくさせて、オーガドラムの外周面に対して作用する力を分散させて局所的な負荷を軽減することができ、オーガドラムの破損を回避することができる。
【図面の簡単な説明】
【００４６】
【図１】普通型コンバインの全体側面図である。
【図２】コンバイン前部の一部縦断側面図である。
【図３】コンバイン前部の一部横断平面図である。
【図４】オーガドラムの展開した状態の平面図である。
【図５】横送りオーガの縦断側面図である。
【図６】横送りオーガの一部縦断側面図である。
【図７】摺動案内体の取付状態を示す説明図である。
【図８】摺動案内体の斜視図である。
【発明を実施するための形態】
【００４７】
以下、本発明に係る収穫機の実施形態を収穫機の一例としての普通型コンバインに適用した場合について図面に基づいて説明する。この実施形態で、機体の前後方向を定義するときは、作業状態における機体進行方向に沿って定義する。すなわち、図１に符号（Ｆ）で示す方向が機体前側、図１に符号（Ｂ）で示す方向が機体後側である。
【００４８】
図１に示すように、このコンバインは、左右一対のクローラ走行装置１を備えた走行機体２に、軸流型の脱穀装置３と穀粒貯留用の穀粒タンク４が左右に並列して配備されるとともに、穀粒タンク４の前方に運転部５が配備されている。脱穀装置３の前部に横軸芯Ｐ１周りに上下揺動自在に刈取穀稈搬送用のフィーダ６が連結され、このフィーダ６の前端に略機体横幅に相当する刈幅を有する刈取部７が連結されている。刈取部７の前部上方には、植立した作物を後方に掻き込む回転リール８が装備されている。穀粒タンク４に貯留されている穀粒を外部に排出する穀粒排出装置９が備えられている。運転部５の下方にはエンジン１０が備えられ、このエンジン１０の動力が、機体各部に伝達されて、機体を走行させながら刈取作業を行うことができる。
【００４９】
図１，２，３に示すように、刈取部７は、角パイプや断面Ｌ字形のアングル材等を連結して構成される刈取部フレーム１２に、背面を形成する背板１３、底面を形成する搬送デッキ１４、左右側面を形成する左右一対の側板１５，１６を連結して取付け固定した枠組み構造体を構成している。搬送デッキ１４の前端に沿って左右の側板１５，１６に亘ってバリカン型の刈取装置１７が配備され、左右の側板１５，１６に亘って、刈り取った穀稈を機体横幅方向中間側に向けて寄せ集め搬送する横送りオーガ１８が架設されている。
【００５０】
フィーダ６は、略角筒状に形成された搬送ケース１９の内部に掻上げコンベア２０を装備して構成されている。掻上げコンベア２０は、横軸芯周りで回転する駆動回転体２１と、従動回転体２２と、それらにわたって巻回された左右一対の搬送チェーン２３と、それら左右一対の搬送チェーン２３に亘って横架連結された複数の搬送バー２４とを備えており、横送りオーガ１８にて横送りされて受け渡された作物が、搬送ケース１９の底面に沿って掻き上げ搬送されて脱穀装置３の前端に投入されるようになっている。
【００５１】
走行機体２における機体フレーム２５の前部とフィーダ６の下部との間に油圧シリンダＣが架設され、この油圧シリンダＣの伸縮作動によって刈取部７がフィーダ６と一体に横軸芯Ｐ１周りに揺動昇降自在に構成されている。
【００５２】
横送りオーガ１８について説明する。
横送りオーガ１８は、外周部に穀稈移送用の螺旋羽根２６が設けられ、横軸芯周りで回転する円筒状のオーガドラム２７と、オーガドラム２７の回転に伴ってオーガドラム２７から出退しながら一体回転して刈取穀稈をフィーダ６に送り出す掻き込み体２８とを備える。すなわち、図２，３に示すように、大径のオーガドラム２７の外周に、前方回転に伴ってフィーダ６の前端部に向けて横送り機能を発揮する左右一対の螺旋羽根２６を備えるとともに、フィーダ６の前端入口６ａに臨む横幅域でオーガドラム２７から出退する棒状の掻き込み体２８が周方向４箇所に左右２本ずつ備えられている。尚、右側横送り域の途中箇所においても、オーガドラム２７から出退する１本の掻き込み体２８が備えられている。
【００５３】
図３に示すように、オーガドラム２７の左右両端近傍における内部には蓋板２９，３０が固設されるとともに、オーガドラム２７の内部には間隔をあけて一対の中間支持板３１，３２が固設されている。右側の蓋板３０と右側の中間支持板３２により回転支軸３３が支持され、回転支軸３３にキー連結した連結フランジ３４が右側の蓋板２９にボルト連結され、回転支軸３３がオーガドラム２７に一体連結される構成となっている。
【００５４】
左側の側板１５には、回転支軸３３と同軸芯上に位置する状態で固定支軸３５が連結固定され、この固定支軸３５は、ベアリング３７を介してオーガドラム２７における左側の蓋板２９を回動自在に外嵌支持する構成となっている。
【００５５】
固定支軸３５に対してキー連結によって回転が固定される状態で偏芯支軸３６が備えられ、この偏芯支軸３６の外周部に取付けボス３８を介して掻き込み体２８が固定支軸３５に沿う軸芯Ｐ２周りで回転自在に装着されている。複数の掻き込み体２８は、夫々、オーガドラム２７に備えられた摺動案内体３９により、オーガドラム２７を出退自在に摺動案内されるように構成されている。尚、偏芯支軸３６は左右一対備えられるが、左右の偏芯支軸３６は、右側の中間支持板３１に回動自在に支持された中継軸４０にて連結されている。
【００５６】
横送りオーガ１８は、回転支軸３３が駆動回転されてオーガドラム２７が図２において回転支軸３３の軸芯Ｐ３周りで反時計方向に回転すると、各掻き込み体２８は追従して偏芯支軸３６の軸芯Ｐ４周りに回動し、この時、偏芯支軸３６と摺動案内体３９との距離が回動位相によって変化することになり、各掻き込み体２８は、オーガドラム２７から出退しながら回動して、搬送デッキ１４や背板１３との干渉を回避しながら作物をフィーダ６に掻き込むことになる。
【００５７】
図４に示すように、オーガドラム２７における掻き込み体２８の装着位置に対応する箇所には、掻き込み体２８等を組み付けたり取り外したりするために大きく開口した３つの組付け孔４１ａ，４１ｂ，４１ｃが形成され、この組付け孔４１ａ，４１ｂ，４１ｃは脱着自在なカバー４２ａ，４２ｂ，４２ｃで閉塞するようになっている。このカバー４２ａ，４２ｂ，４２ｃは、複数のボルト４３によってオーガドラム２７に固定する構成となっている。このカバー４２ａ，４２ｂ，４２ｃを取り付けるためのボルト４３は、詳述はしないが、作物が引っ掛かるおそれを少なくするために、その頭部の外形形状が円筒状となっており、頭部の上面に六角孔が形成され、六角レンチ（図示せず）を用いて締結作業や取り外し作業を行える構成となっている。
【００５８】
次に、摺動案内体３９について説明する。
図６，７，８に示すように、摺動案内体３９は、合成樹脂材にて一体的に形成されており、オーガドラム２７の軸芯方向に沿う幅が幅狭で周方向に沿う幅が幅広であり、周方向に沿って長尺状に形成されている。長尺方向の中間部から両側端部に向かうほど幅狭であり、両側端部が円弧状に形成されている。摺動案内体３９は、径方向外方側の側面が全面に亘ってオーガドラム２７の内周面に沿う滑らか円弧面に形成されている。摺動案内体３９の径方向内方側の側面は、オーガドラム２７の周方向に略沿うように屈曲する３つの平面に形成されている。
【００５９】
摺動案内体３９は、径方向外方側箇所がオーガドラム２７の内周面に接当する状態で固定具ユニット４５にて固定されて取り付けられている。摺動案内体３９には、掻き込み体２８がオーガドラム２７を径方向に挿通するための挿通孔４６が形成されている。この摺動案内体３９は、オーガドラム２７の周方向で挿通孔４６の両側に位置する箇所の夫々において、固定具ユニット４５にてオーガドラム２７に固定されている。
【００６０】
固定具ユニット４５は、オーガドラム２７の周方向で挿通孔４６の両側に位置する箇所において、夫々、オーガドラム２７の外周側からオーガドラム２７を径方向に挿通する状態で装着されるボルト４７と、オーガドラム２７の内周側に位置し、ボルト４７が締結される締結具としてのナット４８とを備えている。一対のナット４８は四角形状に形成され、それら一対のナット４８は板状の連結部材４９によって一体的に連結されている。このように一体的に連結された一対のナット４８及び連結部材４９が、摺動案内体３９を径方向内方側から挟む状態で装着される内側固定部５０に対応する。
【００６１】
摺動案内体３９には、長手方向の中央部に径方向に沿って貫通する状態で、掻き込み体２８が挿通するための挿通孔４６が形成されている。挿通孔４６の周方向両側箇所、すなわち、摺動案内体３９の長尺方向に沿う挿通孔４６の両側に位置する箇所に夫々には、ボルト４７が挿通するためにボルト挿通孔５１が形成されている。
【００６２】
摺動案内体３９における中央部の径方向外方側箇所に、径方向外方側に向けて突出するとともに、オーガドラム２７に形成された開口５２に嵌り込む凸部５３が形成されている。そして、この凸部５３の内部を径方向に沿って挿通する状態で、掻き込み体２８が挿通する挿通孔４６が形成されている。
【００６３】
オーガドラム２７には、掻き込み体２８の取り付け位置に対応する箇所に、摺動案内体３９の凸部５３が嵌り込むための開口５２が形成されている。オーガドラム２７に摺動案内体３９を取り付けるときは、開口５２に凸部５３が嵌まり込む状態で摺動案内体３９をオーガドラム２７の内周側から装着する。そして、摺動案内体３９の径方向内方側から内側固定部５０を装着して、オーガドラム２７の径方向外方側からボルト４７を挿通させて、ナット４８に螺合装着して締め付けて摺動案内体３９を固定する。このような摺動案内体３９の装着作業は、カバー４２ａ，４２ｂ，４２ｃを開放して、組付け孔４１ａ，４１ｂ，４１ｃを通してオーガドラム２７の径方向外方側から行うことができる。
【００６４】
図６に示すように、摺動案内体３９における中央部の径方向外方側箇所に形成されている凸部５３は、オーガドラム２７の外周面から径方向外方に突出しない状態で、オーガドラム２７に形成された開口５２に嵌り込む程度の少ない突出量の凸部として形成されている。その結果、摺動案内体３９は、オーガドラム２７の外周面から径方向外方へ突出しないので、ワラ屑等が引っ掛かるおそれが少なく、しかも、凸部５３が開口５２に嵌り合うことでオーガドラム２７に対して周方向に位置ズレすることを防止できる。
【００６５】
図８に示すように、摺動案内体３９の内周面に、内側固定部５０、すなわち、一体的に連結された一対のナット４８（締結具）及び連結部材４９が嵌り込む嵌合部５４が形成されている。嵌合部５４は、摺動案内体３９の内周面に内部に凹入する状態で形成されている。内側固定部５０が、嵌合部５４に嵌り込むことで位置合わせされた状態で摺動案内体３９に装着される構成となっている。その結果、内側固定部５０を嵌合部５４に嵌め込んだ状態で、オーガドラム２７の径方向外方側からボルト４７を容易に装着することができる。内側固定部５０は、嵌合部５４に嵌め込んだ状態で、且つ、摺動案内体３９の内周面に対して隙間なく当て付けられた状態で装着される。
【００６６】
図６，７に示すように、摺動案内体３９のうち、オーガドラム２７の周方向で挿通孔４６の両側に位置する部分に、掻き込み体２８側に向けて突出する突出部５５が形成されている。突出部５５は、摺動案内体３９のうち、オーガドラム２７の内周面と接当する箇所に設けられている。説明を加えると、図８に示すように、挿通孔４６は、摺動案内体３９の内周面側箇所では、周方向に長い長孔形状になっている。そして、図６，７に示すように、挿通孔４６の内面が径方向外方側ほど掻き込み体２８側すなわち、互いに近接する側に向けて突出する突出部５５が形成されている。突出部５５は、オーガドラム２７の内周面と接当する箇所が最も突出する形状になっている。その結果、挿通孔４６は、摺動案内体３９の外周面側では略円形に近い形状となっている（図４参照）。
【００６７】
突出部５５の内面は、径方向外方側に向かうほど互いに近づくように傾斜状に形成されている。このように構成することで、オーガドラム２７の回動に伴う掻き込み体２８の相対的な姿勢変化を許容しながら、オーガドラム２７を挿通する箇所では、掻き込み体２８と挿通孔４６の内面との間の隙間ができるだけ少なくなり、挿通孔４６を通して塵埃がオーガドラム２７の内部に侵入することを防止できる。
【００６８】
このような構成では、例えば、穀稈詰まりが発生して、掻き込み体に無理な力がかかったような場合には、挿通孔４６における突出部５５が最も突出する箇所にて摺動案内体３９に押圧力が作用する。しかし、突出部５５が最も突出する箇所は、オーガドラム２７の内周面と接当する箇所であるから、上記したような押圧力がオーガドラム２７によって受け止められて力が分散され、摺動案内体３９が破損することを回避できる。
【００６９】
内側固定部５０における連結部材４９に、挿通孔４６の内周面を径方向内方側に延長する延長ガイド部５６が備えられている。すなわち、図６，７，８に示すように、連結部材４９には、掻き込み体２８の挿通を許容するための開口５７が形成されている。その開口５７の周縁部のうち、周方向両側に位置する箇所を径方向内方側に略Ｌ字形に折り曲げて延長ガイド部５６が形成されている。
【００７０】
横送りオーガ１８全体の組付けの誤差等に起因して、掻き込み体２８がオーガドラム２７の径方向内方側へ引退したときに、摺動案内体３９の挿通孔４６から外れるおそれがあっても、内側固定部５０に形成された延長ガイド部５６によって受止められて、掻き込み体２８がオーガドラム２７の内方側に抜け外れすることを回避できる。
【００７１】
固定具ユニット４５におけるボルト４７は、ボルト頭部４７ａがオーガドラム２７の外周側に位置する状態でオーガドラム２７を径方向に挿通するように装着される。又、ボルト頭部４６ａとオーガドラム２７の外周面との間において、ボルト４７の軸部に、オーガドラム２７の外周面に接当する平座金５８と、平座金５８とボルト頭部４７ａとの間に位置するバネ座金５９とが装着されている。
【００７２】
オーガドラム２７の外周面に接当する平座金５８は、木用座金であり、内径に対して外径の比率が大きい平座金である。木用座金は、ボルト４７の締め込みによって木材に埋まり込まないように、平面部分が大きな面積を有する座金である。このような座金を用いることにより、オーガドラム２７の外周面との間で接触面積が大きくなり、ボルトに押圧力が加わった場合であっても、例えば、座金の角部が接当して局所的な負荷がかかってオーガドラム２７の外表面が損傷することを回避できる。
【００７３】
〔別実施形態〕
（１）上記実施形態では、固定具ユニット４５が、オーガドラム２７の内周面に位置するナット４８と、オーガドラムの外周面側から装着されるボルト４７とで構成されるものを例示したが、このような構成に代えて、固定具ユニット４５を、オーガドラム２７の内周面に位置するボルトと、オーガドラム２７の外周面側から装着されるナットとで構成されるものでもよい。固定具ユニット４５としては、ボルトとナットとで構成するものに限らず、接着剤を用いて固定したり、弾性体による押圧付勢により固定する構成等、種々の構成のものを用いることができる。
【００７４】
（２）上記実施形態では、摺動案内体３９に、径方向外方側に向けて突出する凸部５３が形成され、その凸部５３の内部に挿通孔４６が形成される構成を例示したが、このような構成に代えて、例えば、凸部５３が形成される箇所に対して、オーガドラム２７の周面に沿う方向に位置を異ならせた状態で掻き込み体２８が挿通する挿通孔を形成してもよい。摺動案内体３９に上記したような凸部５３を形成せず、固定具ユニット４５による連結のみによりオーガドラム２７との位置合わせを行うようにしてもよい。
【００７５】
（３）上記実施形態では、固定具ユニット４５の内側固定部５０が、一対のナット４８と、一対のナット４８同士を連結する連結部材４９とを備える構成としたが、この構成に代えて、一対のナットを各別に装着する構成としてもよい。
【００７６】
（４）上記実施形態では、摺動案内体３９の内周面に、一対のナット４８及び連結部材４９が嵌り込む嵌合部５４が形成される構成としたが、このような嵌合部５４を形成しないものでもよい。
【００７７】
（５）上記実施形態では、収穫機の一例として普通型コンバインに適用したものを示したが、トウモロコシ収穫機等の他の種類の収穫機であってもよい。
【産業上の利用可能性】
【００７８】
本発明は、普通型コンバインやトウモロコシ収穫機等、刈取作物を横送りオーガにより機体横幅方向に寄せ集めてフィーダにより後方側に搬送するようにした収穫機に適用できる。
【符号の説明】
【００７９】
６      フィーダ
１８    横送りオーガ
２６    螺旋羽根
２７    オーガドラム
２８    掻き込み体
３９    摺動案内体
４５    固定具ユニット
４６    挿通孔
４７    ボルト
４７ａ  ボルト頭部
４８    ナット（締結具）
５０    内側固定部
５２    開口
５３    凸部
５５    突出部
５６    延長ガイド部
５８    平座金
５９    バネ座金
【図１】
0006656024.tif 000002
【図２】
0006656024.tif 000003
【図３】
0006656024.tif 000004
【図４】
0006656024.tif 000005
【図５】
0006656024.tif 000006
【図６】
0006656024.tif 000007
【図７】
0006656024.tif 000008
【図８】
0006656024.tif 000009